【手続補正書】
【提出日】平成20年2月25日(2008.2.25)
【手続補正１】
【補正対象書類名】特許請求の範囲
【補正対象項目名】全文
【補正方法】変更
【補正の内容】
【特許請求の範囲】
【請求項１】
流体（２）用のネブライザ（１）であって、マウスピース（１３）及び前記マウスピース（１３）と関連した少なくとも１つの空気供給開口部（１５）を有し、前記流体（２）が前記マウスピース（１３）内にスプレー可能であるネブライザにおいて、
１又は複数の前記空気供給開口部（１５）は、１又は複数個の空気供給開口部（１５）を通る逆流を止めることができる少なくとも１つの弁装置（２４）と関連している、
ことを特徴とするネブライザ。
【請求項２】
前記弁装置（２４）は、前記マウスピース（１３）内に設けられ、又は、前記流体（２）のための放出ノズル（１２）の側方に並んで設けられ、或いは、前記マウスピース（１３）内で前記流体（２）のための放出ノズル（１２）の側方に並んで設けられることを特徴とする、請求項１に記載のネブライザ。
【請求項３】
前記弁装置は、構造ユニットとして特にアドオン（add-on）としてマウスピース（１３）内に挿入できることを特徴とする、請求項１又は２に記載のネブライザ。
【請求項４】
前記弁装置（２４）の少なくとも１つのコンポーネントは、前記ネブライザ（１）、特に前記マウスピース（１３）に固定的に取り付けられていることを特徴とする、請求項１又は２に記載のネブライザ。
【請求項５】
前記弁装置（２４）は、前記マウスピースと一緒に交換可能であることを特徴とする、請求項１から４のいずれか１項に記載のネブライザ。
【請求項６】
前記弁装置（２４）は、少なくとも前記ネブライザ（１）の空間内での向きとは実質的に独立して動作することを特徴とする、請求項１から５のいずれか１項に記載のネブライザ。
【請求項７】
前記弁装置（２４）は、機械的にのみ動作することを特徴とする、請求項１から６のいずれか１項に記載のネブライザ。
【請求項８】
前記弁装置（２４）は、少なくとも１つの弁（２９）、及び、可動弁要素（２８）のうちの少なくとも一方を有することを特徴とする、請求項１から７のいずれか１項に記載のネブライザ。
【請求項９】
前記弁要素（２８）は、前記ネブライザ（１）の長手方向に動くことができ、又は、１又は複数個の空気供給開口部（１５）を通る供給空気の流れ（２５）の方向に動くことができ、或いは、前記ネブライザ（１）の長手方向に動くことができて１又は複数個の空気供給開口部（１５）を通る供給空気の流れ（２５）の方向に動くことができることを特徴とする請求項８に記載のネブライザ。
【請求項１０】
前記空気供給開口部（１７）のうち幾つか又は全ては、共通の弁（２９）、及び、共通の弁要素（２８）のうちの少なくとも一方と関連していることを特徴とする、請求項８又は９に記載のネブライザ。
【請求項１１】
別々の弁（２９）、及び、別々の弁要素（２８）のうちの少なくとも一方が、各々の前記空気供給開口部（１５）と関連していることを特徴とする、請求項８又は９に記載のネブライザ。
【請求項１２】
前記弁要素（２８）は、プレート又はフラップの形態をしていることを特徴とする、請求項８から１１のいずれか１項に記載のネブライザ。
【請求項１３】
前記弁要素（２８）は、構造が少なくとも実質的に剛性であることを特徴とする、請求項８から１２のいずれか１項に記載のネブライザ。
【請求項１４】
前記弁要素（２８）は、可撓性の構造のもの、特に、箔のような構造のものであることを特徴とする、請求項８から１２のいずれか１項に記載のネブライザ。
【請求項１５】
前記弁要素（２８）は、特にばね力、固有弾性、及び、重量のうちの少なくとも１つにより開放位置又は閉鎖位置に付勢されることを特徴とする、請求項８から１４のいずれか１項に記載のネブライザ。
【請求項１６】
前記ネブライザ（１）は、前記弁装置（２４）、特に前記弁装置（２４）の弁要素（２８）と関連していて、特に、開放、及び、閉鎖のうちの少なくとも一方を検出するセンサ（３５）を有することを特徴とする、請求項１から１５のいずれか１項に記載のネブライザ。
【請求項１７】
前記センサ（３５）は、機械的、光学的、電気的、誘導的、容量的、及び、他の無接触方式のうちの少なくとも一つの手段により前記弁要素（２８）の運動、又は、少なくとも１つの位置を検出することを特徴とする、請求項１６記載のネブライザ。
【請求項１８】
前記センサ（３５）は、マイクロスイッチ又はリード接点として構成されていることを特徴とする、請求項１６又は１７に記載のネブライザ。
【請求項１９】
前記ネブライザ（１）は、前記ネブライザ（１）の作動をカウント、及び、評価のうちの少なくとも一方を行い、又は、前記センサ（３５）が、前記弁装置（２４）、又は、前記弁要素（２８）の開放、及び、閉鎖のうちの少なくとも一方を検出したかどうかを検出するモニタ装置（２３）を有することを特徴とする、請求項１６から１８のいずれか１項に記載のネブライザ。
【請求項２０】
前記霧化は、純粋に機械的に行われることを特徴とする、請求項１から１９のいずれか１項に記載のネブライザ。
【請求項２１】
前記ネブライザ（１）は、前記流体（２）、特に液体を収容する開口部（３）を有し、前記ネブライザは、圧力の発生又は霧化中、ストロークの状態で動くことができることを特徴とする、請求項１から２０のいずれか１項に記載のネブライザ。
【請求項２２】
前記ネブライザ（１）は、特に医学的エーロゾル治療用の吸入器として構成されていることを特徴とする、請求項１から２１のいずれか１項に記載のネブライザ。
【請求項２３】
前記ネブライザ（１）は、前記流体（２）を１又は複数個の空気供給開口部（１５）を通る供給空気の流れ（２５）とは独立して霧化できるように構成されていることを特徴とする、請求項１から２２のいずれか１項に記載のネブライザ。
【請求項２４】
前記ネブライザ（１）は、前記流体（２）を前記マウスピース（１３）内へスプレーする供給装置、特に放出開口部又はノズル（１２）を有することを特徴とする、請求項１から２３のいずれか１項に記載のネブライザ。
【請求項２５】
前記供給装置は、１又は複数個の前記供給開口部（１５）とは別個に、前記マウスピース（１３）内へ開口し、特に、前記供給開口部とは、別個に配置、及び、別個に構成のうちの少なくとも一方の構造で形成されることを特徴とする、請求項２４に記載のネブライザ。
【請求項２６】
前記空気供給開口部（１５）は、前記供給装置内に組み込まれており、特に、前記空気供給開口部（１５）及び前記供給装置は、前記マウスピース（１３）内への共通開口部を有することを特徴とする、請求項２４に記載のネブライザ。
【請求項２７】
前記マウスピース（１３）は、吸入器又はネブライザ（１１）用に構成されており、
前記マウスピース（１３）は、吸息又は吸入するのに十分な量で空気の流れを発生させるために周囲空気を供給するチャネル又は空気供給開口部（１５）を有し、前記チャネル又は前記空気供給開口部（１５）を通る逆流を止めることができる弁装置（２４）を有することを特徴とする、請求項１から２６のいずれか１項に記載のネブライザ。
【請求項２８】
吸入器又はネブライザ（１１）用のマウスピース（１３）であって、吸息又は吸入するのに十分な量で空気の流れを発生させるために周囲空気を供給するチャネル又は空気供給開口部（１５）を有し、前記チャネル又は前記空気供給開口部（１５）を通る逆流を止めることができる弁装置（２４）を有することを特徴とするマウスピース。
【請求項２９】
前記弁装置（２４）は、逆止弁、及び、逆流防止弁のうちの少なくとも一方として構成されていることを特徴とする、請求項２８に記載のマウスピース。
【請求項３０】
霧化されるべき媒体、粉末又は流体（２）、或いはエーロゾル（１４）のための供給装置、特に放出開口部、又は、ノズル（１２）が、特に前記チャネル、又は、前記空気供給開口部（１５）に平行に前記マウスピース（１３）内へ開口していることを特徴とする、請求項２８又は２９に記載のマウスピース。
【請求項３１】
前記供給装置は、前記チャネル、又は、前記空気供給開口部（１５）とは別個に、前記マウスピース（１３）内へ開口し、特に、前記チャネル、又は、前記空気供給開口部（１５）とは別個に配置、及び、別個に構成のうちの少なくとも一方の構造で形成されることを特徴とする、請求項３０に記載のマウスピース。
【請求項３２】
前記チャネル又は前記空気供給開口部（１５）は、前記供給装置内に組み込まれており、特に、前記チャネル、又は、前記空気供給開口部（１５）、及び、前記供給装置は、前記マウスピース（１３）内への共通開口部を有することを特徴とする、請求項３０に記載のマウスピース。